(57)【要約】【課題】  Ｗｅｂ２．０の現状を大幅に改善する新たな概念を取り入れ、万人による情報の共有に寄与することができる情報提供システムを提供する。【解決手段】  情報提供システムは、フィード情報を配信する情報配信者ＤＵが操作する少なくとも１以上の配信者端末機１０と、この配信者端末機１０から配信されたフィード情報を受信するフィードサーバ２０と、フィード情報を受信する情報受信者ＲＵが操作する少なくとも１以上の受信者端末機４０と、フィード情報に関するメタ情報として位置付けられる情報であって情報受信者ＲＵによって任意に付与されるタグ情報を管理するタグサーバ３０とを備える。タグサーバ３０は、情報受信者ＲＵによる受信者端末機４０を介した操作に応じてタグ情報が付与されたフィード情報であるタグ付与フィード情報を、フィード情報を配信した情報配信者ＤＵの配信者端末機１０に対して送信する。【選択図】  図１
2007286768.tif 000002
【特許請求の範囲】
【請求項１】
所定の電子媒体情報を提供する情報提供システムであって、
上記電子媒体情報を介して所定の情報を配信する情報配信者が操作する少なくとも１以上の配信者端末機と、
上記配信者端末機から配信された情報を受信する情報受信者が操作する少なくとも１以上の受信者端末機と、
上記情報に関するメタ情報として位置付けられる情報であって上記情報受信者によって任意に付与されるタグ情報を管理するサーバ装置とを備え、
上記サーバ装置は、
上記情報受信者による上記受信者端末機を介したタグ情報の付与操作に応じて、当該情報受信者が閲覧している情報にタグ情報を付与するタグ付与手段と、
上記タグ付与手段によってタグ情報が付与された情報であるタグ付与情報を、上記情報を配信した上記情報配信者の上記配信者端末機に対して送信する送信手段とを有すること
を特徴とする情報提供システム。
【請求項２】
上記サーバ装置は、
上記配信者端末機から配信された上記情報がフィード情報である場合に、タグ情報を付与することが可能な形式に当該フィード情報を変換する変換手段と、
上記変換手段によって変換して生成されたタグ機能付きフィード情報を上記受信者端末機に対して配信する配信手段とを有し、
上記タグ付与手段は、上記情報受信者による上記受信者端末機を介したタグ情報の付与操作に応じて、当該情報受信者が閲覧しているタグ機能付きフィード情報にタグ情報を付与し、
上記送信手段は、上記タグ付与手段によってタグ情報が付与されたフィード情報であるタグ付与フィード情報を、当該タグ機能付きフィード情報の元となった上記フィード情報を配信した上記情報配信者の上記配信者端末機に対して送信すること
を特徴とする請求項１記載の情報提供システム。
【請求項３】
上記サーバ装置は、
上記タグ付与手段によって上記情報に付与したタグ情報を当該情報と対応付けて蓄積するタグ蓄積手段と、
上記情報受信者による上記受信者端末機を介したタグ情報の検索操作に応じて、上記タグ蓄積手段に蓄積されているタグ情報を検索して抽出し、検索結果を当該受信者端末機に提示するタグ検索手段とを有すること
を特徴とする請求項１又は請求項２記載の情報提供システム。
【請求項４】
広告主によって出稿される広告情報を蓄積する広告サーバ装置を備え、
上記サーバ装置は、上記広告サーバ装置に蓄積されている広告情報を検索する広告検索手段を有し、
上記タグ付与手段は、上記広告主による端末機を介したタグ情報の付与操作及び／又は上記情報受信者による上記受信者端末機を介したタグ情報の付与操作に応じて、上記広告サーバ装置に蓄積されている広告情報にタグ情報を付与し、生成したタグ付与広告情報を上記広告サーバ装置に蓄積させ、
上記広告検索手段は、上記情報受信者による上記受信者端末機を介したタグ情報の検索操作に応じて、上記タグ検索手段による検索結果に関連したタグ付与広告情報を上記広告サーバ装置から検索して抽出し、その検索結果を上記タグ検索手段による検索結果とともに当該受信者端末機に提示すること
を特徴とする請求項３記載の情報提供システム。
【請求項５】
所定の電子媒体情報を提供する情報提供システムに用いられるサーバ装置としてのコンピュータが実行する情報提供プログラムであって、
上記コンピュータを、
上記電子媒体情報を介して所定の情報を配信する情報配信者が操作する少なくとも１以上の配信者端末機から配信された上記情報を受信する情報受信者が操作する少なくとも１以上の受信者端末機を介したタグ情報の付与操作に応じて、当該情報受信者が閲覧している情報に、上記情報に関するメタ情報として位置付けられる情報であるタグ情報を付与するタグ付与手段、及び、
上記タグ付与手段によってタグ情報が付与された情報であるタグ付与情報を、上記情報を配信した上記情報配信者の上記配信者端末機に対して送信する送信手段として機能させること
を特徴とする情報提供プログラム。
【請求項６】
所定の電子媒体情報を介して所定の情報を配信する情報配信者が操作する少なくとも１以上の配信者端末機から配信された上記情報を受信する情報受信者が操作する少なくとも１以上の受信者端末機を介したタグ情報の付与操作に応じて、当該情報受信者が閲覧している情報に、上記情報に関するメタ情報として位置付けられる情報であるタグ情報を付与するタグ付与手段と、
上記タグ付与手段によってタグ情報が付与された情報であるタグ付与情報を、上記情報を配信した上記情報配信者の上記配信者端末機に対して送信する送信手段とを備えること
を特徴とするサーバ装置。
【請求項７】
所定の電子媒体情報を提供する情報提供システムであって、
上記電子媒体情報を介して所定の情報を配信する情報配信者が操作する少なくとも１以上の配信者端末機と、
上記配信者端末機から配信された情報を受信する情報受信者が操作する少なくとも１以上の受信者端末機と、
上記情報に関するメタ情報として位置付けられる情報であって上記情報受信者によって任意に付与されるタグ情報を管理するサーバ装置と、
広告主によって出稿される広告情報を蓄積する広告サーバ装置とを備え、
上記サーバ装置は、
上記情報受信者による上記受信者端末機を介したタグ情報の付与操作に応じて、当該情報受信者が閲覧している情報にタグ情報を付与するタグ付与手段と、
上記タグ付与手段によって上記情報に付与したタグ情報を当該情報と対応付けて蓄積するタグ蓄積手段と、
上記情報受信者による上記受信者端末機を介したタグ情報の検索操作に応じて、上記タグ蓄積手段に蓄積されているタグ情報を検索して抽出するタグ検索手段と、
上記広告サーバ装置に蓄積されている広告情報を検索する広告検索手段とを有し、
上記タグ付与手段は、上記広告主による端末機を介したタグ情報の付与操作及び／又は上記情報受信者による上記受信者端末機を介したタグ情報の付与操作に応じて、上記広告サーバ装置に蓄積されている広告情報にタグ情報を付与し、生成したタグ付与広告情報を上記広告サーバ装置に蓄積させ、
上記広告検索手段は、上記情報受信者による上記受信者端末機を介したタグ情報の検索操作に応じて、上記タグ検索手段による検索結果に関連したタグ付与広告情報を上記広告サーバ装置から検索して抽出し、その検索結果を上記タグ検索手段による検索結果とともに当該受信者端末機に提示すること
を特徴とする情報提供システム。
【請求項８】
所定の電子媒体情報を提供する情報提供システムに用いられるサーバ装置としてのコンピュータが実行する情報提供プログラムであって、
上記コンピュータを、
上記電子媒体情報を介して所定の情報を配信する情報配信者が操作する少なくとも１以上の配信者端末機から配信された上記情報を受信する情報受信者が操作する少なくとも１以上の受信者端末機を介したタグ情報の付与操作に応じて、当該情報受信者が閲覧している情報に、上記情報に関するメタ情報として位置付けられる情報であるタグ情報を付与するタグ付与手段、
上記タグ付与手段によって上記情報に付与したタグ情報を当該情報と対応付けて蓄積しているタグ蓄積手段から、上記情報受信者による上記受信者端末機を介したタグ情報の検索操作に応じてタグ情報を検索して抽出するタグ検索手段、及び、
広告主によって出稿される広告情報を蓄積する広告サーバ装置に蓄積されている広告情報を検索する広告検索手段として機能させ、
上記タグ付与手段は、上記広告主による端末機を介したタグ情報の付与操作及び／又は上記情報受信者による上記受信者端末機を介したタグ情報の付与操作に応じて、上記広告サーバ装置に蓄積されている広告情報にタグ情報を付与し、生成したタグ付与広告情報を上記広告サーバ装置に蓄積させ、
上記広告検索手段は、上記情報受信者による上記受信者端末機を介したタグ情報の検索操作に応じて、上記タグ検索手段による検索結果に関連したタグ付与広告情報を上記広告サーバ装置から検索して抽出し、その検索結果を上記タグ検索手段による検索結果とともに当該受信者端末機に提示すること
を特徴とする情報提供プログラム。
【請求項９】
所定の電子媒体情報を介して所定の情報を配信する情報配信者が操作する少なくとも１以上の配信者端末機から配信された上記情報を受信する情報受信者が操作する少なくとも１以上の受信者端末機を介したタグ情報の付与操作に応じて、当該情報受信者が閲覧している情報に、上記情報に関するメタ情報として位置付けられる情報であるタグ情報を付与するタグ付与手段と、
上記タグ付与手段によって上記情報に付与したタグ情報を当該情報と対応付けて蓄積しているタグ蓄積手段から、上記情報受信者による上記受信者端末機を介したタグ情報の検索操作に応じてタグ情報を検索して抽出するタグ検索手段と、
広告主によって出稿される広告情報を蓄積する広告サーバ装置に蓄積されている広告情報を検索する広告検索手段とを備え、
上記タグ付与手段は、上記広告主による端末機を介したタグ情報の付与操作及び／又は上記情報受信者による上記受信者端末機を介したタグ情報の付与操作に応じて、上記広告サーバ装置に蓄積されている広告情報にタグ情報を付与し、生成したタグ付与広告情報を上記広告サーバ装置に蓄積させ、
上記広告検索手段は、上記情報受信者による上記受信者端末機を介したタグ情報の検索操作に応じて、上記タグ検索手段による検索結果に関連したタグ付与広告情報を上記広告サーバ装置から検索して抽出し、その検索結果を上記タグ検索手段による検索結果とともに当該受信者端末機に提示すること
を特徴とするサーバ装置。
【発明の詳細な説明】
【技術分野】
【０００１】
本発明は、ウェブサイトをはじめとする所定の電子媒体情報を提供する情報提供システム及び情報提供方法、並びにこの情報提供システムに用いられるサーバ装置に関する。
【背景技術】
【０００２】
近年、パーソナルコンピュータをはじめとする情報処理装置、及びインターネットをはじめとするネットワーク技術の著しい普及にともない、様々なコンテンツを掲載したウェブサイトを介して極めて多様な情報を取得することが可能となっている。
【０００３】
また、近年では、従来のＷＷＷ（World Wide Web）におけるサービスやユーザ体験を超えて次第に台頭しつつある新しいウェブのあり方に関する総称として、Ｗｅｂ２．０という用語が生み出されている（例えば、非特許文献１等参照。）。
【０００４】
Ｗｅｂ２．０の大家として知られているTim O'reilly氏の論文によれば、Ｗｅｂ２．０には、以下のような特徴がある。まず、既存のウェブにおいては、情報をディレクトリ型に整理して配置するのが一般的であるが、Ｗｅｂ２．０においては、これらの枠組みに捉われることなく、ユーザによって自由に情報を整理して配置することが可能な点が１つの特徴である。また、既存のウェブにおいては、ＨＴＭＬ（HyperText Markup Language）やＣＧＩ（Common Gateway Interface）等を利用してサービスが提供されることが多かったのに対して、Ｗｅｂ２．０においては、例えばＤＨＴＭＬ（Dynamic HyperText Markup Language）等の技術を応用してサービスを構築し、豊かなユーザ体験を提供する点が他の特徴である。
【０００５】
このようなＷｅｂ２．０においては、制作者と利用者とが明確に区別された既存のウェブとは異なり、ウェブサイトが有する情報等を外部のウェブサイトやソフトウェア等から参照したり呼び出したりすることが可能となり、利用者や他の事業者がソフトウェアやウェブサービスを組み合わせて新たなコンテンツ等を作成することが可能となる。また、Ｗｅｂ２．０においては、例えば、いわゆるウェブログ（ブログ）等を介して多数のユーザが参加して情報を出し合うことにより、その蓄積が全体として巨大な集合知を形成することも重要な特徴の１つであり、ソーシャルブックマークのように、参加者が特徴や分野を表す短いフレーズをタグ（tag）としてＵＲＬ（Uniform Resource Locator）に付与することにより、情報の有用な分類を行うことも可能となる。
【０００６】
【非特許文献１】ＩＴ用語辞典ｅ−Ｗｏｒｄｓ、"Ｗｅｂ２．０"、［online］、［平成１８年４月５日検索］、インターネット＜URL: http://e-words.jp/w/Web2022E0.html＞
【発明の開示】
【発明が解決しようとする課題】
【０００７】
ところで、Ｗｅｂ２．０においては、タグの利用範囲が、Ｗｅｂ２．０のシステムを提供するシステム提供者やそのシステムを利用して、任意のフィード（feed）情報を配信する情報配信者のウェブサイト内に限定されており、真の万人によるタグの共有を実現していないのが現状である。また、情報配信者から配信されるフィード情報は、当該情報配信者が記載した情報のみであり、タグを内包しているわけではない。すなわち、Ｗｅｂ２．０においては、フィード情報にタグを付与する機能が存在していないのが現状である。
【０００８】
本発明は、このような実情に鑑みてなされたものであり、Ｗｅｂ２．０の現状を大幅に改善する新たな概念を取り入れ、万人による情報の共有に寄与することができる情報提供システム及び情報提供プログラム、並びに当該情報提供システムを実現するサーバ装置を提供することを目的とする。
【課題を解決するための手段】
【０００９】
上述した目的を達成する本発明にかかる情報提供システムは、所定の電子媒体情報を提供する情報提供システムであって、上記電子媒体情報を介して所定の情報を配信する情報配信者が操作する少なくとも１以上の配信者端末機と、上記配信者端末機から配信された情報を受信する情報受信者が操作する少なくとも１以上の受信者端末機と、上記情報に関するメタ情報として位置付けられる情報であって上記情報受信者によって任意に付与されるタグ情報を管理するサーバ装置とを備え、上記サーバ装置は、上記情報受信者による上記受信者端末機を介したタグ情報の付与操作に応じて、当該情報受信者が閲覧している情報にタグ情報を付与するタグ付与手段と、上記タグ付与手段によってタグ情報が付与された情報であるタグ付与情報を、上記情報を配信した上記情報配信者の上記配信者端末機に対して送信する送信手段とを有することを特徴としている。
【００１０】
また、上述した目的を達成する本発明にかかる情報提供プログラムは、所定の電子媒体情報を提供する情報提供システムに用いられるサーバ装置としてのコンピュータが実行する情報提供プログラムであって、上記コンピュータを、上記電子媒体情報を介して所定の情報を配信する情報配信者が操作する少なくとも１以上の配信者端末機から配信された上記情報を受信する情報受信者が操作する少なくとも１以上の受信者端末機を介したタグ情報の付与操作に応じて、当該情報受信者が閲覧している情報に、上記情報に関するメタ情報として位置付けられる情報であるタグ情報を付与するタグ付与手段、及び、上記タグ付与手段によってタグ情報が付与された情報であるタグ付与情報を、上記情報を配信した上記情報配信者の上記配信者端末機に対して送信する送信手段として機能させることを特徴としている。
【００１１】
さらに、上述した目的を達成する本発明にかかるサーバ装置は、所定の電子媒体情報を介して所定の情報を配信する情報配信者が操作する少なくとも１以上の配信者端末機から配信された上記情報を受信する情報受信者が操作する少なくとも１以上の受信者端末機を介したタグ情報の付与操作に応じて、当該情報受信者が閲覧している情報に、上記情報に関するメタ情報として位置付けられる情報であるタグ情報を付与するタグ付与手段と、上記タグ付与手段によってタグ情報が付与された情報であるタグ付与情報を、上記情報を配信した上記情報配信者の上記配信者端末機に対して送信する送信手段とを備えることを特徴としている。
【００１２】
このような本発明にかかる情報提供システム及び情報提供プログラム、並びにサーバ装置においては、配信者端末機と受信者端末機との間にサーバ装置を介在させることにより、情報受信者によって付与されたタグ情報を、タグ付与情報の形態で情報配信者に対してフィードバックすることができる。
【００１３】
さらにまた、上述した目的を達成する本発明にかかる情報提供システムは、所定の電子媒体情報を提供する情報提供システムであって、上記電子媒体情報を介して所定の情報を配信する情報配信者が操作する少なくとも１以上の配信者端末機と、上記配信者端末機から配信された情報を受信する情報受信者が操作する少なくとも１以上の受信者端末機と、上記情報に関するメタ情報として位置付けられる情報であって上記情報受信者によって任意に付与されるタグ情報を管理するサーバ装置と、広告主によって出稿される広告情報を蓄積する広告サーバ装置とを備える。ここで、上記サーバ装置は、上記情報受信者による上記受信者端末機を介したタグ情報の付与操作に応じて、当該情報受信者が閲覧している情報にタグ情報を付与するタグ付与手段と、上記タグ付与手段によって上記情報に付与したタグ情報を当該情報と対応付けて蓄積するタグ蓄積手段と、上記情報受信者による上記受信者端末機を介したタグ情報の検索操作に応じて、上記タグ蓄積手段に蓄積されているタグ情報を検索して抽出するタグ検索手段と、上記広告サーバ装置に蓄積されている広告情報を検索する広告検索手段とを有する。そして、上記タグ付与手段は、上記広告主による端末機を介したタグ情報の付与操作及び／又は上記情報受信者による上記受信者端末機を介したタグ情報の付与操作に応じて、上記広告サーバ装置に蓄積されている広告情報にタグ情報を付与し、生成したタグ付与広告情報を上記広告サーバ装置に蓄積させ、上記広告検索手段は、上記情報受信者による上記受信者端末機を介したタグ情報の検索操作に応じて、上記タグ検索手段による検索結果に関連したタグ付与広告情報を上記広告サーバ装置から検索して抽出し、その検索結果を上記タグ検索手段による検索結果とともに当該受信者端末機に提示することを特徴としている。
【００１４】
また、上述した目的を達成する本発明にかかる情報提供プログラムは、所定の電子媒体情報を提供する情報提供システムに用いられるサーバ装置としてのコンピュータが実行する情報提供プログラムであって、上記コンピュータを、上記電子媒体情報を介して所定の情報を配信する情報配信者が操作する少なくとも１以上の配信者端末機から配信された上記情報を受信する情報受信者が操作する少なくとも１以上の受信者端末機を介したタグ情報の付与操作に応じて、当該情報受信者が閲覧している情報に、上記情報に関するメタ情報として位置付けられる情報であるタグ情報を付与するタグ付与手段、上記タグ付与手段によって上記情報に付与したタグ情報を当該情報と対応付けて蓄積しているタグ蓄積手段から、上記情報受信者による上記受信者端末機を介したタグ情報の検索操作に応じてタグ情報を検索して抽出するタグ検索手段、及び、広告主によって出稿される広告情報を蓄積する広告サーバ装置に蓄積されている広告情報を検索する広告検索手段として機能させ、上記タグ付与手段は、上記広告主による端末機を介したタグ情報の付与操作及び／又は上記情報受信者による上記受信者端末機を介したタグ情報の付与操作に応じて、上記広告サーバ装置に蓄積されている広告情報にタグ情報を付与し、生成したタグ付与広告情報を上記広告サーバ装置に蓄積させ、上記広告検索手段は、上記情報受信者による上記受信者端末機を介したタグ情報の検索操作に応じて、上記タグ検索手段による検索結果に関連したタグ付与広告情報を上記広告サーバ装置から検索して抽出し、その検索結果を上記タグ検索手段による検索結果とともに当該受信者端末機に提示することを特徴としている。
【００１５】
さらに、上述した目的を達成する本発明にかかるサーバ装置は、所定の電子媒体情報を介して所定の情報を配信する情報配信者が操作する少なくとも１以上の配信者端末機から配信された上記情報を受信する情報受信者が操作する少なくとも１以上の受信者端末機を介したタグ情報の付与操作に応じて、当該情報受信者が閲覧している情報に、上記情報に関するメタ情報として位置付けられる情報であるタグ情報を付与するタグ付与手段と、上記タグ付与手段によって上記情報に付与したタグ情報を当該情報と対応付けて蓄積しているタグ蓄積手段から、上記情報受信者による上記受信者端末機を介したタグ情報の検索操作に応じてタグ情報を検索して抽出するタグ検索手段と、広告主によって出稿される広告情報を蓄積する広告サーバ装置に蓄積されている広告情報を検索する広告検索手段とを備え、上記タグ付与手段は、上記広告主による端末機を介したタグ情報の付与操作及び／又は上記情報受信者による上記受信者端末機を介したタグ情報の付与操作に応じて、上記広告サーバ装置に蓄積されている広告情報にタグ情報を付与し、生成したタグ付与広告情報を上記広告サーバ装置に蓄積させ、上記広告検索手段は、上記情報受信者による上記受信者端末機を介したタグ情報の検索操作に応じて、上記タグ検索手段による検索結果に関連したタグ付与広告情報を上記広告サーバ装置から検索して抽出し、その検索結果を上記タグ検索手段による検索結果とともに当該受信者端末機に提示することを特徴としている。
【００１６】
このような本発明にかかる情報提供システム及び情報提供プログラム、並びにサーバ装置においては、タグ情報が付与された広告情報の生成機能を提供し、情報受信者によって任意にタグ情報を付与させることにより、従来の検索連動型広告やコンテンツ連動型広告のように、広告主の作為的な意思が反映されてしまうことがなく、情報受信者の価値観や嗜好等に応じて整理されたタグ情報やコンテンツと連動する広告掲載を行うことができる。
【発明の効果】
【００１７】
本発明は、全てのウェブサイト（電子媒体情報）においてタグ情報の共有が可能となり、限られた範囲ではなく万人による情報の共有を実現することができる。また、本発明は、情報受信者にとって、検索したタグ情報やコンテンツとのマッチングが高く、当該情報受信者が真に所望する広告を閲覧することが可能となる。
【発明を実施するための最良の形態】
【００１８】
以下、本発明を適用した具体的な実施の形態について図面を参照しながら詳細に説明する。
【００１９】
この実施の形態は、ウェブサイトをはじめとする所定の電子媒体情報を提供する情報提供システムである。特に、この情報提供システムは、いわゆるＷｅｂ２．０におけるタグ（tag）の利用について新たな概念を取り入れ、万人による情報の共有に寄与することができるものである。
【００２０】
まず、第１の実施の形態として示す情報提供システムについて説明する。この第１の実施の形態として示す情報提供システムは、情報受信者によって付与されたタグ情報を、タグ付与情報の形態で情報配信者に対してフィードバックするものである。なお、ここでは、説明の便宜上、情報配信者から配信される情報が、例えばＲＳＳ（Rich Site Summary又はReally Simple Syndication）等のフィード（feed）と称される情報伝達技術を利用して配信されるフィード情報であるものとして説明する。
【００２１】
情報提供システムは、図１に示すように、フィード情報を配信する情報配信者ＤＵが操作する配信者端末機１０と、この配信者端末機１０から配信されたフィード情報を受信するフィードサーバ２０と、後述する情報受信者ＲＵによって付与されるタグ情報を管理するタグサーバ３０と、フィード情報を受信する情報受信者ＲＵが操作する受信者端末機４０とが、インターネットを含むネットワーク網を介して接続されて構成される。なお、同図においては、システム提供者ＳＵ及び情報配信者ＤＵがそれぞれ１人ずつ存在するとともに、３人の情報受信者ＲＵが存在している様子を示しているが、情報提供システムにおいては、これらの人数や各端末機の台数に限定があるわけではなく、極めて多数の端末機がネットワーク網に接続されているのが通常である。
【００２２】
配信者端末機１０は、例えば、パーソナルコンピュータの他、携帯電話機や携帯情報端末機（Personal Digital Assistant；ＰＤＡ）等から構成され、情報配信者ＤＵによって操作されるものである。具体的には、配信者端末機１０は、図２に示すように、各部を統括的に制御するＣＰＵ（Central Processing Unit）１１と、各種プログラムを含む各種情報を格納する読み取り専用のＲＯＭ（Read Only Memory）１２と、ワークエリアとして機能するＲＡＭ（Random Access Memory）１３と、各種情報を読み出し及び／又は書き込み可能に記憶する記憶部１４と、外部のネットワークに接続して通信を行う通信部１５と、ユーザインターフェースとしての図示しない所定の操作デバイスを介した入力操作の処理及び制御を行う入力操作制御部１６と、各種情報を表示する表示部１７とを備える。
【００２３】
ＣＰＵ１１は、記憶部１４等に格納されている各種プログラムを実行し、各部を統括的に制御する。
【００２４】
ＲＯＭ１２は、各種プログラムをはじめとする各種情報を格納している。このＲＯＭ１２に格納されている情報は、ＣＰＵ１１の制御のもとに読み出される。
【００２５】
ＲＡＭ１３は、ＣＰＵ１１が各種プログラムを実行する際のワークエリアとして機能し、ＣＰＵ１１の制御のもとに、各種情報を一時記憶するとともに、記憶している各種情報を読み出す。
【００２６】
記憶部１４は、ブラウザアプリケーションをはじめとする受信者端末機４０に対するフィード情報の配信を行うために必要な各種機能を実現するための各種プログラムや、各種画像データや音声データをはじめとする各種情報を記憶している。この記憶部１４としては、例えばハードディスクや不揮発性メモリ等を用いて構成することができる。また、記憶部１４には、本体に対して着脱可能とされるＣＤ−Ｒやメモリカード等の記憶媒体に対して、各種情報の読み出し及び／又は書き込みを行うドライブ装置も含まれる。このような記憶部１４に記憶されている情報は、ＣＰＵ１１の制御のもとに読み出される。
【００２７】
通信部１５は、例えば、アナログ回線、いわゆるイーサネット（登録商標）等から構成されるＬＡＮ（Local Area Network）、ＩＳＤＮ（Integrated Services Digital Network）、ＡＤＳＬ（Asymmetric Digital Subscriber Line）、若しくはＦＴＴＨ（Fiber To The Home）等の各種ネットワーク回線、ＩＥＥＥ（Institute of Electrical and Electronic Engineers）８０２．１１に準拠した無線ＬＡＮ若しくはいわゆるブルートゥース（Bluetooth（登録商標））等の各種無線通信方式、又はいわゆるＦＯＭＡ（登録商標）等のＷ−ＣＤＭＡ（Wideband-Code Division Multiple Access）方式若しくはＨＤＲ（High Data Rate）等のＣＤＭＡ−２０００方式といった、各種方式に基づくネットワークに接続するためのインターフェースであり、ＣＰＵ１１の制御のもとに、外部との通信を行う。
【００２８】
入力操作制御部１６は、例えば、キーボード、マウス、キーパッド、赤外線リモートコントローラ、スティックキー、又はプッシュボタンといった、ユーザインターフェースとしての図示しない所定の操作デバイスを介した入力操作を受け付け、操作内容を示す制御信号をＣＰＵ１１に対して供給する。
【００２９】
表示部１７は、例えば、液晶ディスプレイ（Liquid Crystal Display；ＬＣＤ）、プラズマ・ディスプレイ・パネル（Plasma Display Panel；ＰＤＰ）、有機エレクトロルミネッセンス（Organic ElectroLuminescent）ディスプレイ、又はＣＲＴ（Cathode Ray Tube）といった、各種表示デバイスであり、ＣＰＵ１１の制御のもとに、各種画像データや、その他の各種情報を表示する。例えば、表示部１７には、情報配信者ＤＵがフィード情報を作成して配信するために起動したアプリケーション等の画面が表示される。
【００３０】
このような各部を備える配信者端末機１０は、情報配信者ＤＵの操作に応じて、システム提供者ＳＵによって提供されるＷｅｂ２．０のシステムを利用して、ブログサイト等のウェブサイトをはじめとする所定の電子媒体情報を作成する。そして、配信者端末機１０は、その電子媒体情報を介して、任意のフィード情報を配信する。また、配信者端末機１０は、情報配信者ＤＵが過去に配信したフィード情報にタグ情報が付与されたタグ付与フィード情報を、後述するタグサーバ３０から受信し、そのタグ付与フィード情報を、当該情報配信者ＤＵにとって閲覧可能な状態で表示部１７に表示する。
【００３１】
フィードサーバ２０は、当該情報提供システムを提供する運営者によって管理されるものであり、後述するタグサーバ３０とともに、当該情報提供システムの中核をなすタグエンジンの一部として構成される。具体的には、フィードサーバ２０は、配信者端末機１０と同様に、物理的には図２に示したような各部を備えるものとして構成される。ただし、ここでの記憶部１４は、配信者端末機１０における記憶部１４とは異なり、例えば、ハードディスクや、これらのハードディスクを複数台用いていわゆるＲＡＩＤ（Redundant Arrays of Independent (Inexpensive) Disks）構成とした装置といった所定の記憶装置を用いて構成される。また、フィードサーバ２０は、機能的には図３に示すように、フィード情報を受信する受信部２１と、フィード情報をタグ機能付きフィード情報に変換する変換部２２と、タグ機能付きフィード情報を配信する配信部２３とを有する。このうち、受信部２１及び配信部２３は、所定の情報提供プログラムを実行するＣＰＵ１１と通信部１５とによって実現され、変換部２２は、当該情報提供プログラムを実行するＣＰＵ１１によって実現される。このようなフィードサーバ２０は、配信者端末機１０から配信されたフィード情報を受信部２１によって受信すると、タグ情報を付与するためのＵＲＬ（Uniform Resource Locator）等の情報からなるタグ付与データをタグサーバ３０から取得し、そのタグ付与データに基づいて、変換部２２によってタグ情報を付与することが可能な形式にフィード情報を変換する。そして、フィードサーバ２０は、変換して生成されたタグ機能付きフィード情報を配信部２３によって受信者端末機４０に対して配信する。
【００３２】
タグサーバ３０は、当該情報提供システムを提供する運営者によって管理されるものであり、フィードサーバ２０とともに、当該情報提供システムの中核をなすタグエンジンの一部として構成される。具体的には、タグサーバ３０は、フィードサーバ２０と同様に、物理的には図２に示したような各部を備えるものとして構成される。また、タグサーバ３０は、機能的には図３に示すように、情報受信者ＲＵが閲覧しているタグ機能付きフィード情報にタグ情報を付与するタグ付与部３１と、このタグ付与部３１によってタグ情報が付与されたフィード情報であるタグ付与フィード情報を送信する送信部３２と、タグ付与部３１によってタグ機能付きフィード情報に付与されたタグ情報を当該タグ機能付きフィード情報と対応付けて蓄積するタグ蓄積部３３と、このタグ蓄積部３３に蓄積されているタグ情報を検索するタグ検索部３４とを有する。このうち、タグ付与部３１、送信部３２、及びタグ検索部３４は、所定の情報提供プログラムを実行するＣＰＵ１１と通信部１５とによって実現され、タグ蓄積部３３は、記憶部１４によって実現される。このようなタグサーバ３０は、情報受信者ＲＵによる受信者端末機４０を介したタグ情報の付与操作に応じて、当該情報受信者ＲＵが閲覧しているタグ機能付きフィード情報にタグ情報をタグ付与部３１によって付与する。なお、タグ情報とは、フィード情報をはじめとするリソースを整理するために、情報受信者ＲＵによって任意に入力された当該リソースの特徴や分野を表す短いフレーズ等を内容とする情報であり、集合知によるメタ情報として位置付けられるものである。タグサーバ３０は、タグ機能付きフィード情報にタグ情報を付与すると、そのタグ付与フィード情報を、当該タグ付きフィード情報の元となったフィード情報を配信した情報配信者ＤＵの配信者端末機１０に対して送信部３２によって送信するとともに、当該タグ情報をタグ蓄積部３３に蓄積する。また、タグサーバ３０は、配信者端末機１０から配信されたフィード情報を受信したフィードサーバ２０からのアクセスに応じて、そのフィード情報にタグ情報を付与するためのＵＲＬ等の情報からなるタグ付与データを、タグ付与部３１から当該フィードサーバ２０に供給する。さらに、タグサーバ３０は、情報受信者ＲＵによる受信者端末機４０を介したタグ情報の検索操作に応じて、タグ蓄積部３３に蓄積されているタグ情報をタグ検索部３４によって検索し、検索結果を示す検索結果画面を当該受信者端末機４０の表示部１７に表示させる。
【００３３】
なお、図１においては、フィードサーバ２０とタグサーバ３０とが別個の装置として示されているが、情報提供システムにおいては、これらフィードサーバ２０とタグサーバ３０とが物理的に別個の装置である必要はなく、それぞれの機能を実現することが可能であれば一体的に構成されていてもよい。
【００３４】
受信者端末機４０は、例えば、パーソナルコンピュータの他、携帯電話機や携帯情報端末機等のアグリゲータとしての機能を実装した装置から構成され、情報受信者ＲＵによって操作されるものである。具体的には、受信者端末機４０は、配信者端末機１０と同様に、物理的には図２に示したような各部を備えるものとして構成される。このような受信者端末機４０は、情報配信者１０が提供している電子媒体情報に対してアクセスすることにより、その電子媒体情報に掲載等がされているフィード情報を、フィードサーバ２０を介して受信する。このとき、受信者端末機４０は、上述したように、フィード情報を、フィードサーバ２０によって変換されたタグ機能付きフィード情報として受信する。また、受信者端末機４０は、表示部１７に表示されたタグ機能付きフィード情報を閲覧している情報受信者ＲＵが、当該タグ機能付きフィード情報の画面に設けられたタグ情報を付与するためのＵＲＬリンクをクリック等するのに応じて、タグサーバ３０から供給されたタグ情報の入力画面を表示部１７に表示する。そして、受信者端末機４０は、この入力画面を介して情報受信者ＲＵによって入力された情報をタグサーバ３０に対して送信することにより、その情報をタグ情報として当該タグ機能付きフィード情報に付与する。さらに、受信者端末機４０は、情報受信者ＲＵの操作に応じてタグサーバ３０に対してアクセスすることによって当該タグサーバ３０から供給されたタグ情報の検索画面を表示部１７に表示する。そして、受信者端末機４０は、この検索画面を介して情報受信者ＲＵによって入力された情報をタグサーバ３０に対して送信するのに応じて当該タグサーバ３０から供給された検索結果画面を表示部１７に表示する。
【００３５】
このような配信者端末機１０、フィードサーバ２０、タグサーバ３０、及び受信者端末機４０から構成される情報提供システムにおいては、配信者端末機１０から配信されたフィード情報をフィードサーバ２０によってタグ機能付きフィード情報に変換し、受信者端末機４０に対して送信する。すなわち、情報提供システムにおいては、例えば、情報配信者ＤＵによって提供されているニュースサイトを閲覧しようとする受信者端末機４０が当該配信者端末機１０に対してアクセスした場合には、そのニュースサイトに掲載されたニュース情報をそのまま当該受信者端末機４０の表示部１７に表示させるのではなく、そのニュース情報にタグ情報を付与するためのＵＲＬリンク等が設けられたタグ機能付きフィード情報として当該受信者端末機４０の表示部１７に表示させる。
【００３６】
そして、情報提供システムにおいては、タグ機能付きフィード情報を閲覧した情報受信者ＲＵが新たなタグ情報の付与操作を行った場合には、タグサーバ３０により、受信者端末機４０から送信されたタグ情報を蓄積するとともに、そのタグ情報が新たに付与されたタグ付与フィード情報を情報配信者ＤＵの配信者端末機１０に対して送信する。情報提供システムにおいては、このようにしてタグ情報が付与されたタグ付与フィード情報が配信者端末機１０に対してフィードバックされた後に、そのフィード情報が配信される場合には、タグ付与フィード情報が配信されることになる。
【００３７】
具体的には、情報提供システムにおいては、情報配信者ＤＵによって提供されているタグ情報の付与機能が設けられていないニュースサイトに受信者端末機４０がアクセスした場合には、フィードサーバ２０により、そのニュース情報にタグ情報を付与するためのＵＲＬリンク等のタグ付与データが設けられたタグ機能付きフィード情報として、例えば図４に示すようなニュース情報へのリンクの一覧が掲載されたコンテンツ一覧画面を当該受信者端末機４０の表示部１７に表示させる。そして、情報提供システムにおいては、コンテンツ一覧画面に掲載されたニュース情報のうち、所望のニュース情報Ａが情報受信者ＲＵによってクリック等されるのに応じて、例えば図５に示すように、そのニュース情報とともに、当該ニュース情報に既に付与されているタグ情報の一覧Ｂを、フィードサーバ２０によって受信者端末機４０の表示部１７に表示させる。情報提供システムにおいては、この図５に示すようなコンテンツ画面を上述した入力画面とし、情報受信者ＲＵが任意のタグ情報を新たに付与することになる。そして、情報提供システムにおいては、タグ機能付きフィード情報を閲覧した情報受信者ＲＵが新たなタグ情報の付与操作を行うのに応じて、タグサーバ３０により、そのタグ情報が新たに付与されたタグ付与フィード情報を情報配信者ＤＵの配信者端末機１０に対して送信する。
【００３８】
その後、情報提供システムにおいては、ニュースサイトに対して、ある受信者端末機４０からのアクセスがあった場合には、前回の配信時に新たにタグ情報が付与されたタグ付与フィード情報にタグ付与データを設けたタグ機能付きフィード情報をフィードサーバ２０によって生成し、当該受信者端末機４０に対して配信する。すなわち、受信者端末機４０の表示部１７には、前回の配信時に新たに付与されたタグ情報が図５における一覧Ｂに掲載されたコンテンツ画面が表示されることになる。情報提供システムにおいては、このようにして、あるフィード情報に付与されるタグ情報の個数が増加していくことになる。
【００３９】
また、情報提供システムにおいては、受信者端末機４０の表示部１７に所定の検索画面を表示させ、情報受信者ＲＵがタグ情報の検索操作を行った場合には、タグサーバ３０により、例えば図６に示すような検索結果画面を当該受信者端末機４０の表示部１７に表示させる。すなわち、情報提供システムにおいては、受信者端末機４０の表示部１７に表示された検索画面に設けられた検索窓Ｃに対して所望のキーワードが情報受信者ＲＵによって入力され、検索実行用のボタン等がクリックされるのに応じて、タグサーバ３０により、そのキーワードに直接的に関連したタグ情報や当該タグ情報に関連するタグ情報をタグ蓄積部３３から検索して抽出し、その検索結果として、抽出したタグ情報の一覧（タグクラウド（tag cloud））Ｄと、これらタグ情報に紐付けられたコンテンツの一覧Ｅとを、検索結果画面として当該受信者端末機４０の表示部１７に表示させる。なお、タグサーバ３０は、検索したキーワードに対するタグ情報の関連度や利用頻度等を算出し、それら関連度や利用頻度等の高低に応じて、抽出したタグ情報を示す文字のフォント、フォントサイズ、及び／又は色等を変化させ、一覧Ｄとして受信者端末機４０の表示部１７に表示させるのが望ましい。
【００４０】
情報提供システムにおいては、このようなタグ情報の検索機能を提供することにより、情報受信者ＲＵが整理されたフィード情報をタグ情報に基づいて検索することが可能となる。そのため、情報提供システムにおいては、他の情報受信者ＲＵがタグ情報を用いて整理したフィード情報を閲覧することができ、所望のフィード情報を容易に見つけることが可能となる。また、情報提供システムにおいては、タグ蓄積部３３にタグ情報を蓄積する際に、当該タグ情報を付与した情報受信者ＲＵに関する情報を対応付けて蓄積することにより、タグ情報を検索した情報受信者ＲＵが、フィード情報のみならず、当該タグ情報を付与した他の情報受信者ＲＵを検索することも可能となる。これにより、情報提供システムにおいては、他者の英知を利用した情報の整理や発見を行うことが可能となる。
【００４１】
以上説明したように、本発明の第１の実施の形態として示す情報提供システムにおいては、配信者端末機１０と受信者端末機４０との間にフィードサーバ２０及びタグサーバ３０を介在させ、情報受信者ＲＵによって付与されたタグ情報を、タグ付与フィード情報の形態で情報配信者ＤＵに対してフィードバックすることにより、当該情報提供システムを利用する全てのウェブサイトにおいてタグ情報の共有が可能となる。すなわち、情報提供システムにおいては、既存のウェブのようにディレクトリ型の情報整理ではなく、「民族・人々（folks）」と「分類（taxonomy）」との合成語であり、多数の人々が任意に入力した情報に基づくネットワーク的且つフラットな情報の構造を意味するフォークソノミー（folksonomy）の概念に基づく情報整理が可能となり、限られた範囲ではなく万人による情報の共有を実現することができる。
【００４２】
また、情報提供システムにおいては、情報配信者ＤＵが配信した情報が情報受信者ＲＵにどのように捉えられているのかを当該情報配信者ＤＵが把握することが可能となるとともに、自己が配信した情報と他者が配信した情報との関係も把握することが可能となり、当該情報配信者ＤＵにとっても自己の評価を認識してより良い情報の配信に努める環境を構築することができる。さらに、情報提供システムにおいては、情報配信者ＤＵが、単なる情報の配信ではなく、価値観や嗜好等に応じて区分された又は区分可能な情報の提供を行うことが可能となる。
【００４３】
さらにまた、情報提供システムにおいては、情報受信者ＲＵにとっても、フィード情報の内容を把握しやすくなり、自己の価値観や嗜好等に応じた整理も行いやすくなることから、膨大な情報に埋もれてしまうことなく、真に所望する情報を見つけやすい環境を構築することができる。また、情報提供システムにおいては、タグ情報を辿ることにより、情報受信者ＲＵが自己の価値観や嗜好等を基準とした様々な類似情報（他のフィード情報）に対して容易にアクセスすることも可能となる。
【００４４】
また、情報提供システムにおいては、システム提供者ＳＵにとっても、従来にはない情報の検索手段や情報の整理方法を提供することができ、同業他者との差別化を図ることができる。さらに、情報提供システムにおいては、システム提供者ＳＵが提供しているシステム（ウェブサイト）と、当該情報提供システムを利用している同業他者が提供しているウェブサイトとの間で、価値観や嗜好等による盛んなトラフィックの往来を実現することができる。さらにまた、情報提供システムにおいては、当該情報提供システムを利用している同業他者が提供しているウェブサイトとの間でタグ情報を共有することができるため、システム提供者ＳＵが現在の市場動向等のマーケティングを効果的に行うことが可能となる。
【００４５】
このように、情報提供システムは、人間、物、情報、場所等、ウェブの世界と実世界との接点上に存在する全てのものを同列で整理することが可能となる環境を実現することができるものであり、万人に極めて高い利便を提供することができる。
【００４６】
つぎに、第２の実施の形態として示す情報提供システムについて説明する。
【００４７】
この第２の実施の形態として示す情報提供システムは、第１の実施の形態として示した情報提供システムの仕組みを応用し、広告にタグ情報を付与するという新たな概念を実現するものである。したがって、この第２の実施の形態の説明においては、第１の実施の形態の説明と同様の構成については同一符号を付し、その詳細な説明を省略するものとする。なお、ここでも、説明の便宜上、情報配信者から配信される情報がフィード情報であるものとして説明する。
【００４８】
従来から、ウェブサイトは、その情報発信手段としての有効性から、企業等の広告を掲載する手段としても多用されている。かかるウェブサイト上に掲載する広告としては、ユーザが入力した検索キーワードに応じて広告を表示する検索連動型広告や、ユーザが閲覧中のコンテンツと同じカテゴリに属する広告を表示するコンテンツ連動型広告がある。しかしながら、これら検索連動型広告やコンテンツ連動型広告は、広告主の作為的な意思が反映されてしまい、真にユーザが所望する広告が連動表示される機会が少ないという問題があった。
【００４９】
第２の実施の形態として示す情報提供システムは、タグ情報を利用することにより、このような問題の解決を図るものである。
【００５０】
情報提供システムは、図７に示すように、上述した配信者端末機１０、フィードサーバ２０、タグサーバ３０、及び受信者端末機４０の他に、広告主によって出稿される広告情報を蓄積する広告サーバ５０を備える。
【００５１】
広告サーバ５０は、当該情報提供システムを提供する運営者によって管理されるものであり、広告主によって出稿される広告情報を蓄積する。この広告情報は、後述するように、広告主や情報受信者ＲＵによってタグ情報が付与可能に構成される。この場合、広告サーバ５０には、タグ情報が付与されて生成されたタグ付与広告情報が蓄積される。
【００５２】
このような広告サーバ５０を備える情報提供システムにおいて、タグサーバ３０は、機能的には図８に示すように、上述したタグ付与部３１、タグ蓄積部３３、及びタグ検索部３４の他に、広告サーバ５０に蓄積されているタグ付与広告情報を検索する広告検索部３５を有する。なお、同図においては、便宜上、上述した送信部３２は図示していない。広告検索部３５は、所定の情報提供プログラムを実行するＣＰＵ１１によって実現される。このようなタグサーバ３０は、広告主ＡＵによる図示しない端末機を介したタグ情報の付与操作に応じて、広告サーバ５０に蓄積されている広告情報（タグ付与広告情報を含む。）にタグ付与部３１によってタグ情報を付与する。また、広告情報は、後述するように、情報受信者ＲＵの受信者端末機４０の表示部１７に表示されるが、タグサーバ３０は、当該情報受信者ＲＵによる受信者端末機４０を介したタグ情報の付与操作があった場合には、当該情報受信者ＲＵが閲覧している広告情報（タグ付与広告情報を含む。）にタグ情報をタグ付与部３１によって付与する。タグサーバ３０は、広告情報やタグ付与広告情報にタグ情報を付与すると、そのタグ付与広告情報を広告サーバ５０に蓄積させる。また、タグサーバ３０は、情報受信者ＲＵによる受信者端末機４０を介したタグ情報の検索操作に応じて、タグ蓄積部３３に蓄積されているタグ情報をタグ検索部３４によって検索するとともに、広告サーバ５０に蓄積されているタグ付与広告情報のうち当該タグ情報に関連するタグ付与広告情報を広告検索部３５によって検索し、タグ情報の検索結果画面とともに広告情報を当該受信者端末機４０の表示部１７に表示させる。
【００５３】
このような情報提供システムにおいては、上述したように、受信者端末機４０の表示部１７に所定の検索画面を表示させ、情報受信者ＲＵがタグ情報の検索操作を行った場合には、タグサーバ３０により、キーワードに関連したタグ情報をタグ蓄積部３３から検索して抽出する。これとともに、タグサーバ３０は、タグ検索部３４による検索結果と、広告サーバ５０に蓄積されているタグ付与広告情報との因果関係を広告検索部３５によって解析し、検索結果としてのタグ情報やコンテンツに関連したタグ付与広告情報を当該広告サーバ５０から検索して抽出する。そして、タグサーバ３０は、先に図６に示したように、検索したキーワードに直接的に関連したタグ情報や当該タグ情報に関連するタグ情報の一覧とこれらタグ情報に紐付けられたコンテンツの一覧Ｅとからなる検索結果画面とともに、抽出したタグ付与広告情報の一覧を当該受信者端末機４０の表示部１７に表示させる。情報受信者ＲＵは、受信者端末機４０の表示部１７に表示された広告情報をクリック等することにより、当該広告情報の広告主ＡＵのウェブサイト等を閲覧することができる。また、情報受信者ＲＵは、上述したように、受信者端末機４０の表示部１７に表示された広告情報に任意にタグ情報を付与することもできる。
【００５４】
以上説明したように、本発明の第２の実施の形態として示す情報提供システムにおいては、タグ情報が付与された広告情報の生成機能を提供し、情報受信者ＲＵによって任意にタグ情報を付与させることにより、従来の検索連動型広告やコンテンツ連動型広告のように、広告主ＡＵの作為的な意思が反映されてしまうことがなく、情報受信者ＲＵの価値観や嗜好等に応じて整理されたタグ情報やコンテンツと連動する広告掲載を行うことができる。したがって、情報提供システムにおいては、情報受信者ＲＵにとって、検索したタグ情報やコンテンツとのマッチングが高く、当該情報受信者ＲＵが真に所望する広告を閲覧することが可能となる。
【００５５】
また、情報提供システムにおいては、広告情報を価値観や嗜好等に応じて整理することができるため、単なる宣伝のための情報としてではなく、それ以上の価値を広告情報から生み出すことができる。
【００５６】
さらに、情報提供システムにおいては、分類体系の作者たるタグ情報を付与したユーザの視点と広告情報を閲覧する情報受信者ＲＵの視点との間に生じるズレを極めて小さくすることができるため、広告主ＡＵにとって、極めて高い宣伝効果を得ることができる環境を構築することができる。さらにまた、情報提供システムにおいては、タグ情報と広告情報とを連動させることにより、オンラインでの市場動向とタグ付与広告情報の内容との間に時間差が生じにくく、リアルタイムな広告掲載を行うことができる。
【００５７】
また、情報提供システムにおいては、情報受信者ＲＵによって任意にタグ情報を広告情報に付与させることにより、広告主ＡＵが出稿した広告情報が情報受信者ＲＵにどのように捉えられているのかを当該広告主ＡＵが把握することが可能となり、より効果的な広告情報の出稿に努める環境を構築することができる。
【００５８】
さらに、情報提供システムにおいては、タグ情報に基づいて、例えば情報受信者ＲＵが居住する地域等、統計的なデータを抽出して広告主ＡＵが利用することにより、現在の市場動向等のマーケティングに寄与する情報を把握することが可能となり、その結果を反映させた広告作成を行うことができる環境を構築することができる。
【００５９】
なお、本発明は、上述した実施の形態に限定されるものではない。例えば、上述した実施の形態では、タグ機能付きフィード情報として、先に図４に示したようなコンテンツ一覧画面や図５に示したようなタグ情報の一覧が掲載されたコンテンツ画面を受信者端末機４０の表示部１７に表示させるものとして説明したが、本発明は、タグ情報を付与することが可能なフィード情報であれば、具体的な内容を問うものではない。
【００６０】
また、上述した第２の実施の形態では、タグ付与フィード情報を情報配信者ＤＵにフィードバックさせる第１の実施の形態をそのまま利用するものとして説明したが、本発明は、広告情報にタグ情報を付与するのであれば、タグ付与フィード情報を情報配信者ＤＵにフィードバックさせない形態であっても適用することができる。
【００６１】
さらに、上述した実施の形態では、情報配信者ＤＵから配信される情報がフィード情報であるものとして説明したが、本発明は、いわゆるＷｅｂ１．０やＷｅｂ１．５等の既存のインターネットやインターネットサービスにて用いられている静的又は動的なウェブページをはじめとするフィード情報ではない情報にも適用することができる。この場合、情報提供システムにおいては、タグ付与データに基づくフィード情報からタグ機能付きフィード情報への変換を行う必要はない。すなわち、本発明は、タグ情報が付与された任意の情報をフィードサーバやタグサーバからなるサーバサイドで管理し、その情報を情報配信者に対してフィードバックすることにより、情報受信者の受信者端末機の表示部にタグクラウドを表示させることができる新たな仕組みや、タグ情報を広告情報に付与する新たな仕組みをターゲットとしたものであり、かかる仕組みを実現するものであれば、いかなるものであっても適用することができる。
【００６２】
このように、本発明は、その趣旨を逸脱しない範囲で適宜変更が可能であることはいうまでもない。
【図面の簡単な説明】
【００６３】
【図１】本発明の第１の実施の形態として示す情報提供システムの構成を説明する図である。
【図２】同情報提供システムにおける配信者端末機の構成を説明するブロック図である。
【図３】同情報提供システムにおけるフィードサーバ及びタグサーバの機能的な構成を説明するブロック図である。
【図４】コンテンツ一覧画面の具体例を説明する図である。
【図５】コンテンツ画面の具体例を説明する図である。
【図６】検索結果画面の具体例を説明する図である。
【図７】本発明の第２の実施の形態として示す情報提供システムの構成を説明する図である。
【図８】同情報提供システムにおけるタグサーバの機能的な構成を説明するブロック図である。
【符号の説明】
【００６４】
１０  配信者端末機
１１  ＣＰＵ
１２  ＲＯＭ
１３  ＲＡＭ
１４  記憶部
１５  通信部
１６  入力操作制御部
１７  表示部
２０  フィードサーバ
２１  受信部
２２  変換部
２３  配信部
３０  タグサーバ
３１  タグ付与部
３２  送信部
３３  タグ蓄積部
３４  タグ検索部
３５  広告検索部
４０  受信者端末機
５０  広告サーバ
【図１】
2007286768.tif 000003
【図２】
2007286768.tif 000004
【図３】
2007286768.tif 000005
【図４】
2007286768.tif 000006
【図５】
2007286768.tif 000007
【図６】
2007286768.tif 000008
【図７】
2007286768.tif 000009
【図８】
2007286768.tif 000010